(57)【要約】【課題】特定金種の紙幣の出金に要する時間の短縮化を図ること。【解決手段】装置本体１０に設けられた入金部２１に投入され、かつ所定の条件を具備する紙幣を収納する複数の収納庫２５と、収納庫２５のそれぞれに収納された紙幣の枚数を計測する精査指令が与えられた場合に、いずれかの収納庫２５に収納された紙幣を一時的に収納する精査庫２６とを備えた紙幣処理装置において、入金部２１に投入された紙幣のうち予め決められた特定金種の紙幣を精査庫２６に収納させ、特定金種の紙幣の出金指令が与えられた場合には、精査庫２６から装置本体１０に設けられた出金回収庫３０に搬送して出金させる制御部４０を備えている。【選択図】図１
2018045606.tif 000002
【特許請求の範囲】
【請求項１】
装置本体に設けられた入金部に投入され、かつ所定の条件を具備する紙幣を収納する複数の収納庫と、
前記収納庫のそれぞれに収納された紙幣の枚数を計測する精査指令が与えられた場合に、いずれかの収納庫に収納された紙幣を一時的に収納する精査庫と
を備えた紙幣処理装置において、
前記入金部に投入された紙幣のうち予め決められた特定金種の紙幣を前記精査庫に収納させ、該特定金種の紙幣の出金指令が与えられた場合には、前記精査庫から前記装置本体に設けられた出金庫に搬送して出金させる制御手段を備えたことを特徴とする紙幣処理装置。
【請求項２】
前記制御手段は、前記精査指令が与えられた場合には、該精査庫に収納する特定金種の紙幣を複数の金種の紙幣を収納する収納庫に収納させて精査を行うことを特徴とする請求項１に記載の紙幣処理装置。
【請求項３】
前記特定金種の紙幣は、５０００円紙幣であることを特徴とする請求項１又は請求項２に記載の紙幣処理装置。
【発明の詳細な説明】
【技術分野】
【０００１】
本発明は、紙幣処理装置に関し、より詳細には、例えば紙幣釣銭機として適用される紙幣処理装置に関するものである。
【背景技術】
【０００２】
従来、例えば紙幣釣銭機として適用される紙幣処理装置においては、装置本体に形成された入金部を通じて投入された紙幣を所定の搬送路に搬送させるようにし、搬送路を搬送される紙幣の真偽を鑑別手段にて鑑別している。
【０００３】
この紙幣処理装置では、上記鑑別手段により「真」と鑑別された紙幣を搬送路から分離させて所定の収納庫に収納している。また紙幣処理装置では、出金指令が与えられた場合には、所定の収納庫から送出された紙幣を、上記搬送路を通じて出金庫に搬送して装置本体より出金するようにしている（例えば、特許文献１参照）。
【先行技術文献】
【特許文献】
【０００４】
【特許文献１】特開２０１１−６５４１７号公報
【発明の概要】
【発明が解決しようとする課題】
【０００５】
上述した特許文献１には明示されていないが、紙幣処理装置においては、装置本体に精査庫が設けられているのが一般的である。この精査庫は、収納庫のそれぞれに収納された紙幣の枚数を計測する精査指令が与えられた場合に、いずれかの収納庫に収納された紙幣を一時的に収納するものである。つまり、精査庫は、常態においては紙幣を収納しておらず、精査指令が与えられた場合に精査対象となる収納庫の紙幣を収納するだけであった。
【０００６】
ところで、上記紙幣処理装置において、収納庫は例えば２つ設けられているのが一般的であり、そのうちの１つは１０００円紙幣を収納する１０００円庫であり、残りの１つは、１０００円以外の紙幣（２０００円紙幣、５０００円紙幣、１００００円紙幣）を収納する混合庫である。
【０００７】
そのため、混合庫に収納される５０００円紙幣をお釣りとして出金する場合には、同じ混合庫に収納される１００００円紙幣を退避等させて切り離す必要があり、５０００円紙幣を出金するのに要する時間が長大化していた。
【０００８】
本発明は、上記実情に鑑みて、特定金種の紙幣の出金に要する時間の短縮化を図ることができる紙幣処理装置を提供することを目的とする。
【課題を解決するための手段】
【０００９】
上記目的を達成するために、本発明に係る紙幣処理装置は、装置本体に設けられた入金部に投入され、かつ所定の条件を具備する紙幣を収納する複数の収納庫と、前記収納庫のそれぞれに収納された紙幣の枚数を計測する精査指令が与えられた場合に、いずれかの収納庫に収納された紙幣を一時的に収納する精査庫とを備えた紙幣処理装置において、前記入金部に投入された紙幣のうち予め決められた特定金種の紙幣を前記精査庫に収納させ、該特定金種の紙幣の出金指令が与えられた場合には、前記精査庫から前記装置本体に設けられた出金庫に搬送して出金させる制御手段を備えたことを特徴とする。
【００１０】
また本発明は、上記紙幣処理装置において、前記制御手段は、前記精査指令が与えられた場合には、該精査庫に収納する特定金種の紙幣を複数の金種の紙幣を収納する収納庫に収納させて精査を行うことを特徴とする。
【００１１】
また本発明は、上記紙幣処理装置において、前記特定金種の紙幣は、５０００円紙幣であることを特徴とする。
【発明の効果】
【００１２】
本発明によれば、制御手段が、入金部に投入された紙幣のうち予め決められた特定金種の紙幣を精査庫に収納させ、該特定金種の紙幣の出金指令が与えられた場合には、精査庫から装置本体に設けられた出金庫に搬送して出金させるので、従来のように混合庫に収納された特定金種の紙幣を他の金種の紙幣等と切り離してから出金する必要がなく、特定金種の紙幣の出金に要する時間の短縮化を図ることができるという効果を奏する。
【図面の簡単な説明】
【００１３】
【図１】図１は、本発明の実施の形態である紙幣処理装置を模式的に示す説明図である。
【図２】図２は、図１に示した紙幣処理装置が入金動作を行う場合を説明する説明図である。
【図３】図３は、図１に示した紙幣処理装置が出金動作を行う場合を説明する説明図である。
【図４】図４は、図１に示した紙幣処理装置が回収動作を行う場合を説明する説明図である。
【図５】図５は、図１に示した紙幣処理装置が回収動作を行う場合を説明する説明図である。
【図６】図６は、図１に示した紙幣処理装置が精査動作を行う場合を説明する説明図である。
【図７】図７は、図１に示した紙幣処理装置が精査動作を行う場合を説明する説明図である。
【図８】図８は、図１に示した紙幣処理装置が精査動作を行う場合を説明する説明図である。
【図９】図９は、図１に示した紙幣処理装置が精査動作を行う場合を説明する説明図である。
【図１０】図１０は、図１に示した紙幣処理装置が精査動作を行う場合を説明する説明図である。
【図１１】図１１は、図１に示した紙幣処理装置が精査動作を行う場合を説明する説明図である。
【発明を実施するための形態】
【００１４】
以下に添付図面を参照して、本発明に係る紙幣処理装置の好適な実施の形態について詳細に説明する。
【００１５】
図１は、本発明の実施の形態である紙幣処理装置を模式的に示す説明図である。ここで例示する紙幣処理装置は、例えば紙幣釣銭機として適用されるものであり、装置本体１０を備えている。
【００１６】
この装置本体１０には、入金部２１、搬送路２２、鑑別部２３、判別部２４、収納庫２５、精査庫２６及び出金回収庫（出金庫）３０がそれぞれ内部に設けられている。
【００１７】
入金部２１は、装置本体１０に形成された入金口１１に連通する態様で設けられている。ここで入金口１１は、図には明示しない入金扉により開閉される開口である。この入金部２１は、入金口１１を通じて自身に投入された紙幣を搬送路２２に繰り出すものである。
【００１８】
搬送路２２は、装置本体１０の内部において前後方向に沿って延在している。この搬送路２２は、図には明示しないが、複数の搬送プーリに張設された左右一対の搬送ベルト等の搬送手段により構成されており、紙幣を前方から後方に向けて搬送するとともに、紙幣を後方から前方に向けて搬送する路である。
【００１９】
鑑別部２３は、搬送路２２の途中に設けられている。この鑑別部２３は、従来公知のものであり、入金部２１から搬送路２２に繰り出された紙幣の真偽及び金種を鑑別するものである。この鑑別部２３での鑑別結果は、制御部（制御手段）４０に鑑別信号として与えられる。
【００２０】
ここで制御部４０は、図示しないメモリに記憶されたプログラムやデータにしたがって紙幣処理装置の動作を統括的に制御するものである。尚、制御部４０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。また制御部４０は、図示の例では、装置本体１０の外部に設けられているように示されているが、これは便宜上のためであり、実際には、装置本体１０の内部に設けられている。
【００２１】
判別部２４は、鑑別部２３よりも後方側の搬送路２２の途中に設けられている。この判別部２４は、従来公知のものであり、通過する紙幣の金種及び枚数を判別するものである。この判別部２４での判別結果は、制御部４０に判別信号として与えられる。
【００２２】
収納庫２５は、判別部２４よりも後方側において複数設けられている。これら収納庫２５は、鑑別部２３の鑑別結果に基づいて、自身に割り付けられた金種の紙幣を収納するものであり、また制御部４０から与えられる指令に基づいて収納した紙幣を搬送路２２に繰り出すものである。
【００２３】
本実施の形態においては、前方側収納庫２５１が予め決められた金種（具体的には１０００円紙幣）を収納するものであり、後方側収納庫２５２が複数の金種（具体的には１００００円紙幣や２０００円紙幣）を収納するものである。
【００２４】
精査庫２６は、判別部２４よりも前方側に設けられている。この精査庫２６は、紙幣を収納するとともに、収納した紙幣を搬送路２２に繰り出すものである。
【００２５】
出金回収庫３０は、装置本体１０の前方側であって入金部２１の上方側に着脱可能に設けられている。この出金回収庫３０は、出金扉３１により開閉される出金口３２を有している。すなわち、出金回収庫３０は、出金扉３１が装置本体１０の外部に露出する態様で設けてあり、出金扉３１が開くよう揺動することで出金口３２が開放されて出金回収庫３０の内部が装置本体１０の外部に露出される。このような出金回収庫３０は、搬送路２２を通じて搬送された紙幣を収納し、出金口３２を通じて収納した紙幣を外部に取り出させるものである。
【００２６】
ところで、出金回収庫３０は装置本体１０に着脱可能に設けられていると述べたが、図１に示すように装置本体１０に設けられている場合には、専用の入力操作、あるいは図示せぬ取出用鍵を所定の取出用鍵孔（図示せず）に挿入して操作等されない限り、装置本体１０から離脱できないように設けられている。つまり、出金回収庫３０は、装置本体１０から容易に離脱するようには設けられていない。
【００２７】
そして、出金扉３１は、出金回収庫３０が装置本体１０に設けられている場合には、制御部４０からの指令により開閉する態様で揺動する。一方、出金回収庫３０が装置本体１０から離脱される場合には、出金扉３１は、常時出金口３２を閉塞しており、図示せぬ解除用鍵を所定の解除用鍵孔（図示せず）に挿入して操作等されることにより出金口３２を閉塞する状態が解除されて開くよう揺動することが可能になる。
【００２８】
以上のような構成を有する紙幣処理装置の動作について説明する。まず、入金動作について説明する。
【００２９】
入金口１１を通じて入金部２１に紙幣が投入され、かつ利用者により図示せぬ入力手段が入力操作されて入金指令が与えられた場合、紙幣処理装置は、図２に示すように、制御部４０を通じて搬送プーリ等の搬送手段を駆動させることにより、入金部２１に投入された紙幣を搬送路２２に繰り出させて搬送させる。搬送路２２を通じて紙幣を搬送させた紙幣処理装置は、その搬送途中で鑑別部２３を通じて搬送される紙幣の真贋及び金種を鑑別させる。
【００３０】
この鑑別部２３により「真」と鑑別されるとともに金種が鑑別された場合、紙幣処理装置は、制御部４０を通じて鑑別された紙幣を金種毎に割り付けられた所定の収納庫２５に搬送路２２を通じて搬送して収納させる。より具体的に説明すると、紙幣処理装置は、鑑別された紙幣が１０００円紙幣である場合には、前方側収納庫２５１に収納させ、鑑別された紙幣が１００００円紙幣か２０００円紙幣の場合には、後方側収納庫２５２に収納させる。そして、鑑別された紙幣が予め決められた特定金種（具体的には５０００円紙幣）の場合には、精査庫２６に搬送して該精査庫２６に収納させる。
【００３１】
次に出金動作について説明する。利用者により入力手段が入力操作されて出金指令が与えられた場合、紙幣処理装置は、制御部４０を通じて搬送手段を駆動させることにより、収納庫２５（前方側収納庫２５１又は後方側収納庫２５２）、あるいは精査庫２６に収納された紙幣を搬送路２２に繰り出させて搬送させる。精査庫２６に収納された紙幣（５０００円紙幣）の出金指令が与えられた場合には、図３に示すように、精査庫２６に収納された紙幣を搬送路２２に繰り出させ、搬送路２２を通じて５０００円紙幣を前方に搬送させる途中で判別部２４を通じて搬送される紙幣の金種及び枚数を判別させる。
【００３２】
この判別部２４で金種等が判別された後、紙幣処理装置は、判別された紙幣（５０００円紙幣）を出金回収庫３０に搬送路２２を通じて搬送させて収納させる。このようにして出金回収庫３０に所定枚数の紙幣を収納されて出金準備が完了すると、紙幣処理装置は、制御部４０を通じて出金扉３１を開くよう揺動させて出金口３２を開放させ、出金回収庫３０に収納された紙幣を取出可能な状態にして出金させる。
【００３３】
次に回収動作について説明する。管理者等により管理者用の入力手段が入力操作されて回収指令が与えられた場合、紙幣処理装置は、図４に示すように、制御部４０を通じて搬送手段を駆動させることにより、すべての収納庫２５及び精査庫２６に収納された紙幣を搬送路２２に繰り出させて該搬送路２２を通じて前方に向けて搬送させて出金回収庫３０に収納させる。この出金回収庫３０では、制御部４０から与えられる指令により出金扉３１が常時出金口３２を閉塞した状態となっており、かかる閉塞した状態を解除するためには解除用鍵を解除用鍵孔に挿入して操作しなければ解除できないようにされている。
【００３４】
このようにしてすべての収納庫２５の紙幣を出金回収庫３０に収納させた後、紙幣処理装置は、図５に示すように、取出用鍵を取出用鍵孔に挿入して操作されることにより、出金回収庫３０が装置本体１０から取り外されることを許容する。このようにして取り外された出金回収庫３０は、管理者が管理する金庫に保管されることになる。
【００３５】
最後に精査動作について説明する。以下においては、図６に示すように、精査庫２６には、５０００円紙幣Ｍ１が収納され、前方側収納庫２５１には１０００円紙幣Ｍ２が収納され、後方側収納庫２５２には混合紙幣（１００００円紙幣及び２０００円紙幣）Ｍ３が収納されているものとして説明する。
【００３６】
管理者等により管理者用の入力手段（図示せず）が入力操作されて精査指令が与えられた場合、紙幣処理装置は、図７に示すように、制御部４０を通じて搬送手段を駆動させることにより、精査庫２６に収納された５０００円紙幣Ｍ１を搬送路２２に繰り出させて該搬送路２２を後方に向けて搬送させて後方側収納庫２５２に収納させる。
【００３７】
５０００円紙幣Ｍ１を後方側収納庫２５２に収納させた後に、紙幣処理装置は、制御部４０を通じて搬送手段を駆動させることにより、前方側収納庫２５１に収納された１０００円紙幣Ｍ２を搬送路２２に繰り出させて該搬送路２２を前方に向けて搬送させ、その搬送途中で判別部２４を通じて搬送される１０００紙幣Ｍ２の金種及び枚数を判別させ、図８に示すように、判別させた１０００円紙幣Ｍ２を精査庫２６に収納させる。これにより、１０００円紙幣Ｍ２の枚数を計測してその枚数を確定させることができる。
【００３８】
１０００円紙幣Ｍ２を精査庫２６に収納させた後、紙幣処理装置は、制御部４０を通じて搬送手段を駆動させることにより、精査庫２６から搬送路２２に１０００円紙幣Ｍ２を繰り出させて後方に向けて搬送させ、図９に示すように、元の前方側収納庫２５１に収納させる。
【００３９】
そして、紙幣処理装置は、制御部４０を通じて搬送手段を駆動させることにより、後方側収納庫２５２に収納された５０００円紙幣Ｍ２及び混合紙幣Ｍ３を搬送路２２に繰り出させて該搬送路２２を前方に向けて搬送させ、その搬送途中で判別部２４を通じて搬送される５０００紙幣Ｍ１及び混合紙幣Ｍ３の金種及び枚数を判別させ、図１０に示すように、判別させた５０００円紙幣Ｍ１及び混合紙幣Ｍ３を精査庫２６に収納させる。これにより、５０００円紙幣Ｍ２、混合紙幣Ｍ３の枚数を計測してそれぞれの枚数を確定させることができる。
【００４０】
５０００円紙幣Ｍ２及び混合紙幣Ｍ３を精査庫２６に収納させた後、紙幣処理装置は、制御部４０を通じて搬送手段を駆動させることにより、精査庫２６から搬送路２２に混合紙幣Ｍ３を繰り出させて後方に向けて搬送させ、図１１に示すように、元の後方側収納庫２５２に収納させる。このようにして精査動作を終了する。
【００４１】
以上説明したように、本実施の形態である紙幣処理装置によれば、制御部４０が、入金部２１に投入された紙幣のうち５０００円紙幣を精査庫２６に収納させ、５０００円紙幣の出金指令が与えられた場合には、精査庫２６から出金回収庫３０に搬送して出金させるので、従来のように混合庫に収納された５０００円紙幣を１００００円紙幣等と切り離してから出金する必要がなく、特定金種の紙幣（５０００円紙幣）の出金に要する時間の短縮化を図ることができる。
【００４２】
上記紙幣処理装置によれば、制御部４０は、精査指令が与えられた場合には、精査庫２６に収納する５０００円紙幣を複数の金種の紙幣を収納する後方側収納庫２５２に収納させて精査を行うので、精査に要する時間が長大化することを抑制することができる。
【００４３】
上記紙幣処理装置によれば、回収指令が与えられた場合に、出金回収庫３０が各収納庫２５や精査庫２６に収納された紙幣を回収するので、出金回収庫３０が従来の回収庫の機能も有している。これにより、回収庫の設置スペースを削減することができ、装置全体の小型化を図ることができる。
【００４４】
上記紙幣処理装置によれば、出金回収庫３０が装置本体１０に対して着脱可能に設けられているので、各収納庫２５及び精査庫２６に収納された紙幣を出金回収庫３０に収納させた後に、該出金回収庫３０を装置本体１０から離脱させることで所定の金庫等に出金回収庫３０ごと保管することができ、出金回収庫３０から紙幣を取り出す必要がなく、セキュリティの向上を図ることができる。
【００４５】
以上、本発明の好適な実施の形態について説明したが、本発明はこれに限定されるものではなく、種々の変更を行うことができる。
【００４６】
上述した実施の形態では、特定金種の紙幣として５０００円紙幣を例示したが、本発明においては、特定金種の紙幣は、５０００円紙幣以外であってもよい。
【符号の説明】
【００４７】
１０  装置本体
１１  入金口
２１  入金部
２２  搬送路
２３  鑑別部
２４  判別部
２５  収納庫
２５１  前方側収納庫
２５２  後方側収納庫
２６  精査庫
３０  出金回収庫
４０  制御部
【図１】
2018045606.tif 000003
【図２】
2018045606.tif 000004
【図３】
2018045606.tif 000005
【図４】
2018045606.tif 000006
【図５】
2018045606.tif 000007
【図６】
2018045606.tif 000008
【図７】
2018045606.tif 000009
【図８】
2018045606.tif 000010
【図９】
2018045606.tif 000011
【図１０】
2018045606.tif 000012
【図１１】
2018045606.tif 000013